(57)【要約】【課題】コストを抑制しながら深い軒先を形成することができるユニット式建物を得る。【解決手段】直方体状に形成された建物ユニット１２の上方部に配置された屋根２２の一部を構成する複数の長尺小梁３３は、建物ユニット１２の上方側から建物外方側まで連続して延設されている。また、複数の長尺小梁３３における建物ユニット１２の外方側に位置する端部５８には、この端部５８同士を連結しかつ建物ユニット１２の桁方向に沿って延設された軒先小梁４０を備えた軒先形成梁３２が設けられている。つまり、建物ユニット１２の上方側から建物外方側まで連続して延設された長尺小梁３３における建物ユニット１２の外方側の端部５８に軒先８２が形成されるので、軒先８２に吊柱等の他部品を設けることなく深い軒先を形成することができる。これにより、コストを抑制しながら深い軒先を形成することができる。【選択図】図２
2018204231.tif 000002
【特許請求の範囲】
【請求項１】
直方体状に形成された複数の建物ユニットと、
前記建物ユニットの上方側に設けられる屋根の一部を構成すると共に、前記建物ユニットの上方側から建物外方側まで連続して延設された複数の長尺小梁と、
前記屋根の軒先の一部を構成すると共に、当該長尺小梁の建物外方側の端部同士を連結しかつ前記建物ユニットの桁方向又は妻方向に沿って延設された軒先小梁を備えた軒先形成梁と、
を有するユニット式建物。
【請求項２】
前記長尺小梁は、前記建物ユニットの上方側から建物外方側まで連続して延設された複数の軒延長小梁と、前記屋根の軒先の他の一部を構成すると共に前記軒延長小梁における建物外方側の端部に取り付けられかつ前記軒延長小梁の延設方向に沿って延設された軒先延長小梁とを含んで構成されている、
請求項１記載のユニット式建物。
【請求項３】
前記建物ユニットは、前記軒先形成梁が設けられた側の外壁の少なくとも一部が、建物内方側へオフセットされたセットバック式ユニットとされている、
請求項１又は請求項２記載のユニット式建物。
【請求項４】
前記長尺小梁は、前記建物ユニットの一方の天井大梁からこれと対向する他方の天井大梁を超えて前記ユニット式建物の外方側まで連続して延設されている、
請求項１〜請求項３のいずれか一項に記載のユニット式建物。
【請求項５】
前記長尺小梁の本数は、前記建物ユニットに設けられた天井小梁より少なく設定されている、
請求項１〜請求項４のいずれか一項に記載のユニット式建物。
【発明の詳細な説明】
【技術分野】
【０００１】
本発明は、ユニット式建物に関する。
【背景技術】
【０００２】
下記特許文献１には、ユニット式建物が開示されている。このユニット式建物では、勾配屋根を支持する屋根束の上端部に屋根パネルの軸組材を受けるブラケットが取り付けられている。この屋根束と、屋根束のブラケットに取り付けられた軸組材とを用いてトラス構造部を形成することができるので、勾配屋根の軒の出を大きくして庇となる部位を大型化した場合でも、トラス構造部によって大型化した部位の荷重を支えることができる。これにより、軒の出を大きくして深い軒先を形成することで、快適な軒下空間を設けることができる。
【先行技術文献】
【特許文献】
【０００３】
【特許文献１】特開２０１５−１５５５９６号公報
【発明の概要】
【発明が解決しようとする課題】
【０００４】
しかしながら、上記特許文献１に開示された構成では、トラス構造部を形成するために屋根束にブラケットを設ける必要がある。また、深い軒先の先端部には、強度を確保するために吊柱を設ける必要がある。つまり、部品点数が増加するため、コストが増加する可能性がある。したがって、上記先行技術はこの点で改良の余地がある。
【０００５】
本発明は上記問題を考慮し、コストを抑制しながら深い軒先を形成することができるユニット式建物を得ることを目的とする。
【課題を解決するための手段】
【０００６】
第１の態様に係るユニット式建物は、直方体状に形成された複数の建物ユニットと、前記建物ユニットの上方側に設けられる屋根の一部を構成すると共に、前記建物ユニットの上方側から建物外方側まで連続して延設された複数の長尺小梁と、前記屋根の軒先の一部を構成すると共に、当該長尺小梁の建物外方側の端部同士を連結しかつ前記建物ユニットの桁方向又は妻方向に沿って延設された軒先小梁を備えた軒先形成梁と、を有している。
【０００７】
第２の態様に係るユニット式建物は、第１の態様に係る発明において、前記長尺小梁は、前記建物ユニットの上方側から建物外方側まで連続して延設された複数の軒延長小梁と、前記屋根の軒先の他の一部を構成すると共に前記軒延長小梁における建物外方側の端部に取り付けられかつ前記軒延長小梁の延設方向に沿って延設された軒先延長小梁とを含んで構成されている。
【０００８】
第３の態様に係るユニット式建物は、第１又は第２の態様に係る発明において、前記建物ユニットは、前記軒先形成梁が設けられた側の外壁の少なくとも一部が、建物内方側へオフセットされたセットバック式ユニットとされている。
【０００９】
第４の態様に係るユニット式建物は、第１〜３のいずれか一つの態様に係る発明において、前記長尺小梁は、前記建物ユニットの一方の天井大梁からこれと対向する他方の天井大梁を超えて前記ユニット式建物の外方側まで連続して延設されている。
【００１０】
第５の態様に係るユニット式建物は、第１〜４のいずれか一つの態様に係る発明において、前記長尺小梁の本数は、前記建物ユニットに設けられた天井小梁より少なく設定されている。
【００１１】
第１の態様によれば、直方体状に形成された建物ユニットの上方部に配置された屋根の一部を構成する複数の長尺小梁は、建物ユニットの上方側から建物外方側まで連続して延設されている。また、複数の長尺小梁における建物ユニットの外方側に位置する端部には、この端部同士を連結しかつ建物ユニットの桁方向又は妻方向に沿って延設された軒先小梁を備えた軒先形成梁が設けられている。つまり、建物ユニットの上方側から建物外方側まで連続して延設された長尺小梁における建物ユニットの外方側の端部に軒先が形成されるので、軒先に吊柱等の他部品を設けることなく深い軒先を形成することができる。
【００１２】
第２の態様によれば、長尺小梁は、建物ユニットの上方側から建物外方側まで連続して延設された複数の軒延長小梁と、屋根の軒先の他の一部を構成すると共に軒延長小梁における建物外方側の端部に取り付けられかつ軒延長小梁の延設方向に沿って延設された軒先延長小梁とを有している。したがって、長尺小梁は、建物ユニットの外壁からより離れた位置に軒先が設けられるため、簡易な構造にて深い軒先を形成することができる。
【００１３】
第３の態様によれば、建物ユニットにおける軒先形成梁が設けられた側の外壁の少なくとも一部が、建物内方側へオフセットされたセットバック式ユニットとされていることから、セットバックされた部位ではより深い軒先を形成することができる。換言すると、セットバックされた部位に合わせて屋根を切り欠く必要がないため、太陽光パネルを屋根に設置する際に太陽光パネルの面積を大きくして発電量をより多くすることができる。
【００１４】
第４の態様によれば、長尺小梁は、一方の天井大梁からこれと対向する他方の天井大梁を越えて建物ユニットの外方側まで連続して延設されている。つまり、長尺小梁における建物ユニットの一方の天井大梁から他方の天井大梁までのモーメント長さよりも、長尺小梁における建物ユニットの外方側の端部から建物ユニットの他方の天井大梁までのモーメント長が短くなる。したがって、長尺小梁の建物外方側に設けられた軒先形成梁に荷重が加わる際に、建物ユニットの一方の天井大梁に加わる荷重を小さくすることができる。これにより、軒先を深くしたことによる建物ユニットの天井大梁の対荷重構造を簡易にできるので、コストをより抑制することができる。
【００１５】
第５の態様によれば、長尺小梁の本数は、建物ユニットの天井小梁より少なく設定されていることから、部品点数の増加を抑制しながら深い軒先を得ることができる。これにより、一層コストを抑制することができる。
【発明の効果】
【００１６】
以上説明したように、本発明に係るユニット式建物は、コストを抑制しながら深い軒先を形成することができるという優れた効果を有する。
【図面の簡単な説明】
【００１７】
【図１】一実施形態に係るユニット式建物を示す概略斜視図である。
【図２】（Ａ）は一実施形態に係るユニット式建物の骨格構造の一部を建物上方から見た状態を示す概略図であり、（Ｂ）は（Ａ）におけるＡ−Ａ線に沿って切断した状態を示す断面図である。
【図３】（Ａ）は図２におけるＺ部を示す拡大図であり、（Ｂ）は（Ａ）におけるＢ−Ｂ線に沿って切断した状態を示す断面図である。
【図４】（Ａ）は図２におけるＹ部を示す拡大図であり、（Ｂ）は（Ａ）におけるＣ−Ｃ線に沿って切断した状態を示す断面図であり、（Ｃ）は（Ａ）におけるＤ−Ｄ線に沿って切断した状態を示す断面図である。
【図５】（Ａ）は図２におけるＸ部を示す拡大図であり、（Ｂ）は（Ａ）におけるＥ−Ｅ線に沿って切断した状態を示す断面図であり、（Ｃ）は（Ａ）におけるＦ−Ｆ線に沿って切断した状態を示す断面図である。
【図６】（Ａ）〜（Ｃ）はその他の実施形態におけるユニット式建物を示す概略斜視図である。
【図７】（Ａ）〜（Ｄ）はその他の実施形態におけるユニット式建物を示す概略斜視図である。
【図８】（Ａ）はその他の実施形態に係るユニット式建物の骨格構造の一部を建物上方から見た状態を示す概略図であり、（Ｂ）は（Ａ）におけるＧ−Ｇ線に沿って切断した状態を示す断面図である。
【発明を実施するための形態】
【００１８】
以下、図１〜７を用いて、本発明に係るユニット式建物の一実施形態について説明する。
【００１９】
図１に示されるように、ユニット式建物１０は、図示しない基礎上に複数載置された建物ユニット１２により複数階建て（一例として２階建て）に構築されている。建物ユニット１２は、一例としてメインユニット１２Ａとハーフユニット１２Ｂとの２種類とされており、ハーフユニット１２Ｂの妻側（短手側）の寸法は、メインユニット１２Ａの妻側の寸法の略半分に設定されている。
【００２０】
ユニット式建物１０の一階部分及び二階部分は、それぞれメインユニット１２Ａとハーフユニット１２Ｂとを複数組み合わせることで構成されている。具体的には、一階部分は桁側同士が接するように連続して配置された３つのメインユニット１２Ａを２組設けると共に、この２組のメインユニット１２Ａをそれぞれの妻側同士が接するように配置されている。また、建物外方側に面する一つのメインユニット１２Ａの桁側には、一つのハーフユニット１２Ｂが設けられており、このメインユニット１２Ａとハーフユニット１２Ｂとは、桁側同士が接するように連続して配置されている。なお、ユニット式建物１０の二階部分も、一階部分と同様の構成とされている。上述の構成により、ユニット式建物１０は、ユニット式建物１０の外壁の一部が建物内側へオフセットされたセットバック式ユニットとされている。
【００２１】
メインユニット１２Ａは、ラーメン構造にて箱型に組まれたフレームを備えている。具体的には、図２（Ａ）に示されるように、四隅に立設された柱１４と、柱１４の上端部同士を連結する一対の桁側の天井大梁１６と、柱１４の上端部同士を連結する一対の妻側の天井大梁１８と、柱１４の下端部同士を連結する長短２種類の図示しない床大梁とによって構成されている。
【００２２】
ハーフユニット１２Ｂは、メインユニット１２Ａと同様にラーメン構造にて箱型に組まれたフレームを備えている。具体的には、図８（Ａ）に示されるように、四隅に立設された柱１４と、柱１４の上端部同士を連結する一対の桁側の天井大梁１６と、柱１４の上端部同士を連結する一対の妻側の天井大梁２０と、柱１４の下端部同士を連結する長短２種類の図示しない床大梁とによって構成されている。そして、メインユニット１２Ａの天井大梁１８に対して、ハーフユニット１２Ｂの天井大梁２０の長手方向の長さは、略半分とされている。
【００２３】
図１に示されるように、ユニット式建物１０の二階部分の上方には、屋根２２が設けられている。この屋根２２は、一例として寄棟屋根とされており、屋根フレーム２４と、屋根上面部２６とを含んで構成されている。
【００２４】
屋根フレーム２４は、フレーム底部２８と、図示しないフレーム上部と、図示しないフレーム側部とを含んで構成されている。フレーム底部２８は、軒延長小梁３０と軒先延長小梁３８とで構成される長尺小梁３３と、軒先形成梁３２とを有している。
【００２５】
軒延長小梁３０は、ユニット式建物１０におけるセットバックした部位、すなわち、二階部分におけるハーフユニット１２Ｂが設けられたメインユニット１２Ａに桁側にて隣接したメインユニット１２Ａに設けられている。また、軒延長小梁３０は、一例としてチャンネル状の長尺材であり、図２（Ａ）に示されるように、建物ユニット１２の天井大梁１６の上部に配置されかつ建物ユニット１２の上方側から建物ユニット１２の外方側まで連続して延設されている。具体的には、軒延長小梁３０の長手方向一端部３４が建物ユニット１２の一方の天井大梁１６に対応した位置に配置されていると共に、軒延長小梁３０における建物外方側の端部としての長手方向他端部３６が建物ユニット１２の他方の天井大梁１６よりも建物外方側に配置されている。なお、軒延長小梁３０は、複数設けられて（本実施形態では一例として６つ）おり、この数は建物ユニット１２に設けられている図示しない天井小梁よりも少ない本数に設定されている。
【００２６】
軒先延長小梁３８は、一例としてチャンネル状の長尺材でありかつ軒延長小梁３０に沿って配設されていると共に、図３（Ｂ）に示されるように、軒延長小梁３０の長手方向他端部３６の建物下方側面に連結板４２を介して接合されている。この連結板４２は、板厚方向視にて略矩形状に形成されており、建物上方側が軒延長小梁３０の長手方向他端部３６における側壁部４４に外側から溶接により接合されていると共に、建物下方側が軒先延長小梁３８の建物内方側の端部４６における側壁部４８に外側から溶接により接合されている。
【００２７】
図３（Ａ）に示されるように、屋根２２の軒先の一部を構成する軒先形成梁３２は、長尺小梁３３（軒先延長小梁３８）の建物外方側の端部５８に設けられている。この軒先形成梁３２は、軒先小梁４０と、妻壁受け小梁３１とを備えている。
【００２８】
軒先小梁４０は、一例としてチャンネル状の長尺材とされており、隣接するハーフユニット１２Ｂの天井大梁１６と略同一線上かつ建物桁方向に沿って延設されている（図１参照）と共に、軒先延長小梁３８の建物外方側の端部５８に連結ブラケット５２を介して締結されている。連結ブラケット５２は、図３（Ａ）に示されるように、第一側壁部５４と第二側壁部５６とで建物上方側から見た状態でＬ字状に形成されており、第一側壁部５４は、軒先延長小梁３８の建物外方側の端部５８における側壁部４８に内側から溶接により接合されている。また、第二側壁部５６は、図３（Ｂ）に示されるように、軒先小梁４０の側壁部６０に複数のボルト６２及びナット６４を介して締結されている。なお、連結ブラケット５２は、複数の軒先延長小梁３８の建物外方側の端部５８にそれぞれ設けられており、軒先小梁４０は、複数の軒先延長小梁３８の端部５８同士を連結している。また、軒先小梁４０の長手方向両端部には、図２（Ａ）に示されるように、軒延長小梁３０の長手方向と略同一の方向を長手方向とする長尺状の妻壁受け小梁３１がそれぞれ設けられている。この妻壁受け小梁３１は、一例として建物ユニット１２の柱１４と軒先小梁４０の長手方向の端部とをそれぞれ連結するように構成されている。
【００２９】
軒延長小梁３０は、図２（Ａ）に示されるように、横座屈防止小梁６６及び束受け小梁６８にて隣接する軒延長小梁３０同士が互いに連結された構成とされている。図４（Ａ）に示されるように、軒延長小梁３０における横座屈防止小梁６６に対応した位置には、第一取付補助部材７０と第二取付補助部材７２とがそれぞれ設けられている。第一取付補助部材７０は、図４（Ｃ）に示されるように、板厚方向視にて略Ｔ字状に形成された板材とされており、軒延長小梁３０の上壁部７４、側壁部４４及び下壁部７６に内側から溶接により接合されている。また、第一取付補助部材７０における軒延長小梁３０から突出した突出部位７０Ａには、ボルト６２及びナット６４を介してチャンネル状の長尺材とされた横座屈防止小梁６６（図４（Ａ）参照）における長手方向の端部が締結されている。
【００３０】
図５（Ａ）に示されるように、軒延長小梁３０における束受け小梁６８に対応した位置には、第三取付補助部材７８と第四取付補助部材８０とがそれぞれ設けられている。第三取付補助部材７８は、図５（Ｃ）に示されるように、板厚方向視にて略Ｔ字状に形成された板材とされており、軒延長小梁３０の上壁部７４、側壁部４４及び下壁部７６に内側から溶接により接合されている。また、第三取付補助部材７８における軒延長小梁３０から突出した突出部位７８Ａには、ボルト６２及びナット６４を介してチャンネル状の長尺材とされた束受け小梁６８（図５（Ａ）参照）における長手方向の端部が締結されている。
【００３１】
一対の隣接する軒延長小梁３０は、軒延長小梁３０及び横座屈防止小梁６６にて連結されることでアッセンブリ化されている（図２中二点鎖線参照）。アッセンブリ化された軒延長小梁３０は、二階部分のセットバック部に面する建物ユニット１２の上方に間隔を空けて複数配設されており、アッセンブリ化された軒延長小梁３０同士は、図４（Ｃ）に示される第二取付補助部材７２に取り付けられた横座屈防止小梁６６と、図５（Ｃ）に示される第四取付補助部材８０に取り付けられた束受け小梁６８とで互いに連結されている。なお、第二取付補助部材７２及び第四取付補助部材８０は、それぞれ板厚方向視にて略矩形状に形成された板材とされており、軒延長小梁３０の側壁部４４に外側から溶接により接合されている。この第二取付補助部材７２には、ボルト６２及びナット６４を介して軒延長小梁３０が締結されている。また、第四取付補助部材８０には、ボルト６２及びナット６４を介して束受け小梁６８が締結されている。
【００３２】
図４（Ａ）、（Ｂ）に示されるように、軒延長小梁３０は、建物ユニット１２の天井大梁１６にボルト６２及びナット６４を介して締結されている。このボルト６２及びナット６４による締結によって軒延長小梁３０は、建物ユニット１２の一方の天井大梁１６と、これと対向する他方の天井大梁１６とに固定されている。
【００３３】
上述した構成のフレーム底部２８及び建物ユニット１２の天井大梁１６、１８、２０の上部には、図示しないフレーム上部が設けられており、フレーム上部とフレーム底部２８及び建物ユニット１２の天井大梁１６、１８、２０とを含んで屋根フレーム２４が構成されている。この屋根フレーム２４上には、図１に示される屋根上面部２６が載置されて固定されている。この屋根上面部２６は、複数の垂木と、この垂木の上端面に打ち付けられた矩形平板上の野地板（いずれも不図示）とを含んで構成されている。
【００３４】
次に、本実施形態の作用並びに効果を説明する。
【００３５】
本実施形態によれば、図２（Ａ）、（Ｂ）に示されるように、直方体状に形成された建物ユニット１２の上方部に配置された屋根２２の一部を構成する複数の長尺小梁３３は、建物ユニット１２の上方側から建物外方側まで連続して延設されている。また、複数の長尺小梁３３における建物ユニット１２の外方側に位置する端部５８には、この端部５８同士を連結しかつ建物ユニット１２の桁方向に沿って延設された軒先小梁４０を備えた軒先形成梁３２が設けられている。つまり、建物ユニット１２の上方側から建物外方側まで連続して延設された長尺小梁３３における建物ユニット１２の外方側の端部５８に軒先８２が形成されるので、軒先８２に吊柱等の他部品を設けることなく深い軒先を形成することができる。これにより、コストを抑制しながら深い軒先を形成することができる。
【００３６】
また、長尺小梁３３は、建物ユニット１２の上方側から建物外方側まで連続して延設された複数の軒延長小梁３０と、屋根２２の軒先８２の他の一部を構成すると共に軒延長小梁３０における長手方向他端部３６に取り付けられかつ軒延長小梁３０の延設方向に沿って延設された軒先延長小梁３８とを有している。したがって、長尺小梁３３は、建物ユニット１２の外壁からより離れた位置に軒先８２が設けられるため、簡易な構造にて深い軒先８２を形成することができる。
【００３７】
さらに、建物ユニット１２における軒先形成梁３２が設けられた側の外壁の少なくとも一部が、建物内方側へオフセットされたセットバック式ユニットとされていることから、セットバックされた部位ではより深い軒先８２を形成することができる。換言すると、セットバックされた部位に合わせて屋根２２を切り欠く必要がないため、太陽光パネルを屋根２２に設置する際に太陽光パネルの面積を大きくして発電量をより多くすることができる。
【００３８】
さらにまた、長尺小梁３３は、一方の天井大梁１６からこれと対向する他方の天井大梁１６を越えて建物ユニット１２の外方側まで連続して延設されている。つまり、長尺小梁３３における建物ユニット１２の一方の天井大梁１６から他方の天井大梁１６までのモーメント長さよりも、長尺小梁３３における建物ユニット１２の外方側の端部５８から建物ユニット１２の他方の天井大梁１６までのモーメント長が短くなる。したがって、長尺小梁３３の建物外方側に設けられた軒先形成梁３２に荷重が加わる際に、建物ユニット１２の一方の天井大梁１６に加わる荷重を小さくすることができる。これにより、軒先８２を深くしたことによる建物ユニット１２の天井大梁１６の対荷重構造を簡易にできるので、コストをより抑制することができる。
【００３９】
また、長尺小梁３３の本数は、建物ユニット１２の天井小梁より少なく設定されていることから、部品点数の増加を抑制しながら深い軒先を得ることができる。これにより、一層コストを抑制することができる。
【００４０】
なお、本実施形態では、図１に示されるように、ユニット式建物１０は、桁方向に隣接するメインユニット１２Ａの一方にハーフユニット１２Ｂを設けてセットバックを形成した構成とされているが、これに限らず、図６（Ｂ）、（Ｃ）に示されるように、一部のハーフユニット１２Ｂの桁方向のサイズを変更することでセットバックを形成し、このセットバックした部位に軒延長小梁３０及び軒先形成梁３２を設けた構成としてもよい。また、図７（Ｂ）に示されるように、一部のメインユニット１２Ａの桁方向のサイズを変更することでセットバックを形成し、このセットバックした部位に軒延長小梁３０及び軒先形成梁３２を設けた構成としてもよい。さらに、図７（Ｄ）に示されるように、桁面同士を接合した複数のメインユニット１２Ａの妻側に別のメインユニット１２Ａの桁面を接合するように配置をすることでセットバックを形成し、このセットバックした部位に軒延長小梁３０及び軒先形成梁３２を設けた構成としてもよい。
【００４１】
さらにまた、図６（Ａ）、図７（Ａ）、（Ｃ）に示されるように、セットバックが形成されていないユニット式建物１０の桁側又は妻側に軒延長小梁３０及び軒先形成梁３２を設けた構成としてもよい。
【００４２】
また、本実施形態では、建物ユニット１２におけるメインユニット１２Ａに軒延長小梁３０を設けた構成とされているが、これに限らず、隣接する建物ユニット１２に跨るように設けられてもよい。一例として、図８（Ａ）、（Ｂ）に示されるように、メインユニット１２Ａとハーフユニット１２Ｂとに亘って連続して軒延長小梁３０を設けた構成としてもよい。この場合、軒延長小梁３０は、メインユニット１２Ａの一方の天井大梁１６と、ハーフユニット１２Ｂの建物外方側の天井大梁１６との２点でボルト６２及びナット６４を介して締結されるのが望ましい。これにより、軒延長小梁３０における建物ユニット１２の外方側の長手方向他端部３６からハーフユニット１２Ｂの建物外方側の天井大梁１６までのモーメント長よりも、軒延長小梁３０におけるハーフユニット１２Ｂの建物外方側の天井大梁１６からメインユニット１２Ａの一方の天井大梁１６までのモーメント長さがより長くなることから、軒延長小梁３０の建物外方側に設けられた軒先形成梁３２に荷重が加わる際に、ハーフユニット１２Ｂの建物外方側の天井大梁１６に加わる荷重をより小さくすることができる。これにより、軒先８２を深くしたことによる建物ユニット１２の天井大梁１６の対荷重構造をより簡易にできるので、コストをより一層抑制することができる。
【００４３】
さらに、軒延長小梁３０は、長手方向一端部３４が建物ユニット１２の一方の天井大梁１６に対応した位置に配置されていると共に、軒延長小梁３０の長手方向他端部３６が建物ユニット１２の他方の天井大梁１６よりも建物外方側に配置されているが、これに限らず、長手方向一端部３４が建物ユニット１２の一方の天井大梁１６以外の部位に対応した位置に配置されていてもよい。すなわち、軒延長小梁３０の長手方向一端部３４が建物ユニット１２の建物外方側に配置されることで、軒延長小梁３０の長手方向他端部３６側とは反対側にも深い軒先を形成する構成としてもよい。また、これとは逆に、図７（Ａ）、（Ｂ）に示されるように、軒延長小梁３０の長手方向一端部３４が建物ユニット１２の一方の天井大梁と他方の天井大梁との間に配置された構造としてもよい。
【００４４】
以上、本発明の実施形態について説明したが、本発明は、上記に限定されるものでなく、その主旨を逸脱しない範囲内において上記以外にも種々変形して実施することが可能であることは勿論である。
【符号の説明】
【００４５】
１０   ユニット式建物
１２   建物ユニット
１６   天井大梁
２２   屋根
３０   軒延長小梁
３２   軒先形成梁
３３   長尺小梁
３６   長手方向他端部（軒延長小梁における建物外方側の端部）
３８   軒先延長小梁
４０   軒先小梁
５８   端部
８２   軒先
【図１】
2018204231.tif 000003
【図２】
2018204231.tif 000004
【図３】
2018204231.tif 000005
【図４】
2018204231.tif 000006
【図５】
2018204231.tif 000007
【図６】
2018204231.tif 000008
【図７】
2018204231.tif 000009
【図８】
2018204231.tif 000010